(57)【特許請求の範囲】
【請求項１】
金属製の第１ケースと金属製の第２ケースとをそれぞれ開口部が互いに対向する方向に組み合わせて形成されるケース体と、
前記第１ケースの内側に配置される第１絶縁シートと、
前記第１絶縁シートの内側に収容される電気部品と、
前記第１ケースと前記第１絶縁シートとの隙間に前記第１絶縁シートの開口部に対して開口部を互いに対向する方向に組み合わされる第２絶縁シートとを備え、
前記第２絶縁シートを前記第１ケースと前記第１絶縁シートとの隙間に誘導するための誘導部を設ける照明器具。
【請求項２】
請求項１に記載の照明器具において、
前記誘導部が、前記第１ケースの少なくとも一方の側部に設けられる照明器具。
【請求項３】
請求項１または請求項２に記載の照明器具において、
前記誘導部が、三角形または四角形の切欠である照明器具。
【請求項４】
請求項１に記載の照明器具において、
前記誘導部が、前記第１絶縁シートの開口部に設けられた突起であり、前記第２絶縁シートに設けられた孔が前記突起に嵌合される照明器具。
【発明の詳細な説明】
【技術分野】
【０００１】
本発明は、例えばダウンライトやトラックライト等の照明器具に関する。
【背景技術】
【０００２】
従来より、プリント配線基板の裏側に配置される第１絶縁シートと、プリント配線基板の表側に配置される第２絶縁シートとを備えた照明器具が知られている（例えば、特許文献１参照）。
【先行技術文献】
【特許文献】
【０００３】
【特許文献１】特開２００８−２７０１６５号公報（図２、請求項１）
【発明の概要】
【発明が解決しようとする課題】
【０００４】
前述した特許文献１に記載された照明器具は、第１絶縁シートと第２絶縁シートとを備えることにより、プリント配線基板における実装面積の縮小化やコストの増大なく絶縁性能を確保できる。
【０００５】
ところで、このような従来の照明器具において、放電灯を点灯させるインバータ点灯回路等の電気部品を金属製のケース体に収納したものが知られている。
図１３に示すように、このような従来の照明器具１００は、垂直断面視略コ字形の金属製の下側ケース１０１と、同じく垂直断面視略コの字形の金属製の上側ケース１０２とのそれぞれの開口部を互いに組み合わせることによりケース体１０３が構成されている。このケース体１０３内に電気部品１０４を実装したプリント配線基板１０５が収納されている。そして、下側ケース１０１の内側に、垂直断面視略コ字形であって電気部品１０４と下側ケース１０１との間を絶縁するための下側絶縁シート１０６が組み付けられており、上側ケース１０２の下側に、垂直断面視略コ字形であって電気部品１０４と上側ケース１０２との間を絶縁するための上側絶縁シート１０７が組み付けられている。上側絶縁シート１０７は、その開口部が下側絶縁シート１０６の開口部の内側に挿入される。
【０００６】
このような照明器具１００は、プリント配線基板１０５に対する実装密度が低い場合や電気部品１０４がインダクタやサブ基板実装型等の高背の部品である場合は問題がない。
しかし、プリント配線基板１０５に対する実装密度が高い場合や、ケース体１０３の高さ寸法に近い大きさの高背の部品をプリント配線基板１０５の端部近傍に実装する場合等においては、上側絶縁シート１０７が電気部品１０４やプリント配線基板１０５に直接接触しやすくなるために、上側絶縁シート１０７を下側絶縁シート１０６に挿入し難くなって組立時の作業性が悪化する。
【０００７】
本発明は、前述した課題を解決するためになされたものであり、その目的は、組立作業性を飛躍的に向上できる照明器具を提供することにある。
【課題を解決するための手段】
【０００８】
本発明に係る照明器具は、金属製の第１ケースと金属製の第２ケースとをそれぞれ開口部が互いに対向する方向に組み合わせて形成されるケース体と、第１ケースの内側に配置される第１絶縁シートと、第１絶縁シートの内側に収容される電気部品と、第１ケースと第１絶縁シートとの隙間に第１絶縁シートの開口部に対して開口部を互いに対向する方向に組み合わされる第２絶縁シートとを備え、第２絶縁シートを第１ケースと第１絶縁シートとの隙間に誘導するための誘導部を設ける。
【０００９】
本発明に係る照明器具は、誘導部が、第１ケースの少なくとも一方の側部に設けられる。
【００１０】
本発明に係る照明器具は、誘導部が、三角形または四角形の切欠である。
【００１１】
本発明に係る照明器具は、誘導部が、第１絶縁シートの開口部に設けられた突起であり、第２絶縁シートに設けられた孔が突起に嵌合される。
【発明の効果】
【００１２】
本発明の照明器具によれば、組立作業性を飛躍的に向上できるという効果を奏する。
【図面の簡単な説明】
【００１３】
【図１】本発明に係る第１実施形態の照明器具の斜め下方から視た外観斜視図
【図２】図１の照明器具に適用される電気機器箱の垂直断面図
【図３】図２の電気機器箱の組立手順を説明する組立て前の外観斜視図
【図４】図２の電気機器箱の組立手順を説明する組立て中の外観斜視図
【図５】図１の照明器具に適用される電気機器箱の第１変形例の外観斜視図
【図６】図１の照明器具に適用される電気機器箱の第２変形例の外観斜視図
【図７】図１の照明器具に適用される電気機器箱の第３変形例の外観斜視図
【図８】本発明に係る第２実施形態の照明器具に適用される電気機器箱の組立手順を説明する組立て前の外観斜視図
【図９】図８の電気機器箱の組立手順を説明する組立て中の外観斜視図
【図１０】本発明に係る第３実施形態の照明器具に適用される電気機器箱の組立手順を説明する組立て中の外観斜視図
【図１１】本発明に係る第４実施形態の照明器具の斜め下方から視た外観斜視図
【図１２】本発明に係る第５実施形態の照明器具の斜め下方から視た外観斜視図
【図１３】従来の照明器具に適用される電気機器箱の垂直断面図
【発明を実施するための形態】
【００１４】
以下、本発明の複数の実施形態に係る照明器具について図面を参照して説明する。
(第１実施形態)
図１に示すように、本発明の第１実施形態である照明器具１０は、器具本体１１と、器具本体１１に収容された不図示の（高圧放電灯（ＨＩＤランプ））光源と、器具本体１１に取り付けられた枠１２と、電気機器箱１３とを備えて天井施工面１に設置されるダウンライトである。
【００１５】
器具本体１１には、電気機器箱１３から引き出された配線ケーブル１４が引き込まれており、配線ケーブル１４が光源に電気的に接続される。枠１２は、その内周側に反射板１５が形成されており、その外周側に天井施工面１に対して照明器具１０を支持するための複数の取付バネ１６を有する。
【００１６】
図２に示すように、電気機器箱１３は、垂直断面視略コ字形の金属製で開口部１７を有する第１ケース１８と同じく垂直断面視略コ字形の金属製で開口部１９を有する第２ケース２０とのそれぞれの開口部１７，１９を互いに対向する方向に組み合わせて形成されたケース体２１とを備える。また、電気機器箱１３は、第１ケース１８の内側に配置される第１絶縁シート２２と、プリント配線基板２３の上面に実装されて第１絶縁シート２２の内側に収容される電気部品２４と、第１絶縁シート２２に有する開口部２５に対して互いに対向する外方向に組み合わされる開口部２６を有する第２絶縁シート２７と、第２絶縁シート２７を第１ケース１８と第１絶縁シート２２との間の隙間２８に誘導するための誘導部２９とを備える。
【００１７】
第１ケース１８は厚みの薄い金属板部材を折り曲げることにより上端部に開口部１７を配置した箱形状に形成されており、底板３０と、一対の対向する端板３１と、一対の対向する側板３２とを有する。第２ケース２０は第１ケース１８と同様に厚みの薄い金属板部材を折り曲げることにより下端部に開口部１９を配置した箱形状に形成されており、天板３３と、一対の対向する側板３４とを有する。
【００１８】
第１絶縁シート２２は、厚みの薄い絶縁部材を折り曲げることにより上端部に開口部２５を配置した垂直断面視略コ字形に形成されており、底部シート３５と、一対の対向する側部シート３６とを有する。第１絶縁シート２２は、その底部シート３５が第１ケース１８の底板３０上に配置されることにより、一対の側部シート３６と第１ケース１８の一対の側板３２との間に隙間２８を形成して第１ケース１８に組み付けられる。
【００１９】
第２絶縁シート２７は、第１絶縁シート２２と同様に厚みの薄い絶縁部材を折り曲げることにより下端部に開口部２６を配置した垂直断面視略コ字形に形成されており、天部シート３７と、一対の対向する側部シート３８とを有する。第２絶縁シート２６は、一対の側部シート３８を、第１絶縁シート２２の一対の側部シート３６と第１ケース１８の一対の側板３２との間の隙間２８に挿入することにより、天部シート３７により第１絶縁シート２２の開口部２５を閉成して第１絶縁シート２２に取り付けられる。
【００２０】
プリント配線基板２３は、第１絶縁シート２２の底部シート３５上に配置されている。電気部品２４は、プリント配線基板２３に対する実装密度が高い部品であり、ケース体２１の高さ寸法に近い大きさの高背の部品がプリント配線基板２３の端部近傍に実装されている。
【００２１】
次に、電気機器箱１３の詳細な説明および電気機器箱１３の組立手順について説明する。
図３に示すように、誘導部２９は、第１ケース１８の一対の側板３２のそれぞれの一方の側部において、一方の端板３１の上端部を含んで側板３２の上端部を三角形に切除して形成されている。そのため、隙間２８は、第１絶縁シート２２の一対の側部シート３６の角部３９と、第１ケース１８の一対の側板３２のそれぞれの一方の側部において側板３２の上端部を三角形に切除された誘導部２９との間で開口される。
【００２２】
電気機器箱１３は、組み立てにあたり、第１絶縁シート２２が第１ケース１８の内側に配置された後に、第２絶縁シート２７が、その天部シート３７の面を第１絶縁シート２２の底部シート３５の面に対して傾斜されながら、第２絶縁シート２７の一対の側部シート３８の一方の角部４０が第１絶縁シート２２の一対の側部シート３６の角部３９の外側に外嵌されていく。このとき、第１絶縁シート２２の一対の側部シート３６の角部３９の外側に、第１ケース１８の一対の側板３２が配置されておらず、誘導部２９により第１絶縁シート２２の一対の側部シート３６の角部３９が露出されているために、第２絶縁シート２７の一対の側部シート３８が第１絶縁シート２２の一対の側部シート３６の角部３９の外側に誘導されながら外嵌されていく。
【００２３】
図４に示すように、第１絶縁シート２２の一対の側部シート３６の角部３９の外側に外嵌されていった第２絶縁シート２７の一対の側部シート３８の角部４０は、第１絶縁シート２２の一対の側部シート３６の角部３９と第１ケース１８の一対の側板３２との間の隙間２８に挿入されていく。これにより、第２絶縁シート２７の一対の側部シート３８が第１絶縁シート２２の一対の側部シート３６の角部３９と第１ケース１８の一対の側板３２との間の隙間２８に簡単に挿入される。
【００２４】
このとき、電気部品２４がプリント配線基板２３に対する実装密度が高い部品であってケース体２１の高さ寸法に近い大きさの高背の部品がプリント配線基板２３の端部近傍に実装されていたとしても、第１絶縁シート２２の一対の側部シート３６と第１ケース１８の一対の側板３２との間の隙間２８に第２絶縁シート２６の一対の側部シート３８が簡単に挿入される。その後に、第２ケース２０の開口部１９が第１ケース１８の開口部１７に組み合わされて例えば不図示のネジ等により第２ケース２０が第１ケース１８に取り付けられる。
【００２５】
次に、電気機器箱１３の第１変形例について説明する。
図５に示すように、第１変形例は、誘導部２９が、第１ケース１８の一対の側板３２のそれぞれの両側部において、一対の端板３１の上端部を含んで一対の側板３２の両端部における上端部を三角形に切除して形成されている。そのため、第１変形例は、誘導部２９に対する第２絶縁シート２７の方向性がないために、第２絶縁シート２７を第１ケース１８のいずれの方向からでも取り付けることができる。
【００２６】
次に、電気機器箱１３の第２変形例について説明する。
図６に示すように、第２変形例は、誘導部２９が、第１ケース１８の一対の側板３２のそれぞれの側部において、一対の端板３１の上端部を含んで一対の側板３２の両端部における上端部を四角形に切除して形成されている。そのため、第２変形例は、第１ケース１８の側板３２の側部において、側板３２の上端部を三角形に切除したものと比べて切除された面積が大きくなるために、第２絶縁シート２７の側部シート３８の角部４０を第１絶縁シート２２の一対の側部シート３６の角部３９の外側に外嵌させやすい。
【００２７】
次に、電気機器箱１３の第３変形例について説明する。
図７に示すように、第２変形例は、誘導部２９が、第１ケース１８の一対の側板３２のそれぞれの側部において、一方の端板３１の上端部を含まずに側板３２の上端部を三角形に切除して形成されている。そのため、第３変形例は、第２絶縁シート２７の一対の側部シート３８の一方の角部４０を第１絶縁シート２２の一対の側部シート３６の角部３９の外側に外嵌させる際に、第２絶縁シート２７の天部シート３７を第１ケース１８の端板３１に当接させることにより、第２絶縁シート２７を第１ケース１８に簡単に位置決めできる。
【００２８】
従って、この第１実施形態の照明器具１０においては、電気機器箱１３の組み立てにあたり、第１ケース１８の誘導部２９により、第２絶縁シート２７の側部シート３８が第１ケース１８の側板３２と第１絶縁シート２２の側部シート３６との間の隙間２８に誘導される。
これにより、この第１実施形態の照明器具１０においては、組立作業性を飛躍的に向上できる。
【００２９】
また、この第１実施形態の照明器具１０においては、電気機器箱１３において、誘導部２９が、第１ケース１８の少なくとも一方の側部に設けられる。
これにより、この第１実施形態の照明器具１０においては、誘導部２９を第１ケース１８の一方の側部に設けることにより、最小限の構造の変更により第２絶縁シート２７を隙間２８に簡単に誘導することができる。これとは異なり、誘導部２９を第１ケース１８の両方の側部に設けることにより、隙間２８に対する第２絶縁シート２７の組み付けの方向性がなくなるために、第２絶縁シート２７を第１ケース１８のいずれの方向からでも取り付けることができる。
【００３０】
そして、この第１実施形態の照明器具１０においては、電気機器箱１３において、誘導部２９が、三角形または四角形の切欠である。
これにより、この第１実施形態の照明器具１０においては、第１ケース１８の側板３２の一部を三角形または四角形に切除するだけの簡単な構造の変更により第２絶縁シート２７を隙間２８に簡単に誘導することができる。
【００３１】
（第２実施形態）
次に、本発明の第２実施形態に係る照明器具について説明する。なお、以下の各実施形態において、前述した第１実施形態と重複する構成要素や機能的に同様な構成要素については、図中に同一符号あるいは相当符号を付することによって説明を簡略化あるいは省略する。
【００３２】
図８に示すように、本発明の第２実施形態に係る照明器具５０に適用される電気機器箱５１は、第１ケース１８の一対の側板３２のそれぞれの中央部の上端部に、等脚台形の切欠である誘導部５２を設けている。そして、第２絶縁シート２７の一対の側部シート３８のそれぞれの中央部の下端部に略三角形の突出部５３を設けている。突出部５３は、略三角形に代えて誘導部５２に相似する等脚台形であってもよく、或いは単純な四角形でもよい。
電気機器箱５１は、組み立てにあたり、第１絶縁シート２２が第１ケース１８の内側に配置された後に、第２絶縁シート２７が第１ケース１８に向けて進行されていく。
【００３３】
図９に示すように、一方の突出部５３が一方の誘導部５２に近づくように第２絶縁シート２７が傾斜されて第１絶縁シート２２に向けて進行されていき、一方の突出部５３が第１絶縁シート２２の一方の側部シート３６の外側に外嵌された後に、一方の突出部５３が第１絶縁シート２２の一方の側部シート３６と第１ケース１８の一方の側板３２との間の隙間２８に挿入されていく。そして、これに続いて、他方の突出部５３が第１絶縁シート２２の他方の側部シート３６と第１ケース１８の他方の側板３２との間の隙間２８に挿入されていく。
【００３４】
従って、この第２実施形態の照明器具５０においては、電気機器箱５１の組み立てにあたり、第１ケース１８の誘導部５２により、第２絶縁シート２７の側部シート３８の突出部５３が第１ケース１８の側板３２と第１絶縁シート２２の側部シート３６との間の隙間２８に誘導される。
これにより、この第２実施形態の照明器具５０においては、組立作業性を飛躍的に向上できる。
【００３５】
（第３実施形態）
次に、本発明の第３実施形態に係る照明器具について説明する。
図１０に示すように、本発明の第３実施形態に係る照明器具６０に適用される電気機器箱６１は、第１絶縁シート２２の側部シート３６における開口部２５に設けられた二対の略四角形の突起６２が誘導部であり、第２絶縁シート２７の天部シート３７に設けられた二対の略四角形の孔６３が突起６２に嵌合される。なお、成形の容易性を考慮したうえで、突起６２は略四角形に代えて半円形等であってもよく、孔６３も同様に略四角形に代えて円形等であってもよい。また、突起６２および孔６３は、二対に限らず二対以上の複数対であってもよい。
【００３６】
電気機器箱６１は、組み立てにあたり、第１絶縁シート２２が第１ケース１８の内側に配置された後に、第２絶縁シート２７が第１絶縁シート２２に向けて進行されていき、第１絶縁シート２２の突起６２に第２絶縁シート２７の孔６３が嵌合される。
【００３７】
従って、この第３実施形態の照明器具６０においては、電気機器箱６１において第１絶縁シート２２の突起６２に第２絶縁シート２７の孔６３が嵌合される。
これにより、この第３実施形態の照明器具６０においては、金属製の第１ケース１８に対する構造変更を行わずに、第１絶縁シート２２および第２絶縁シート２７への構造変更のみにより、組立作業性を飛躍的に向上できる。
【００３８】
（第４実施形態）
次に、本発明の第４実施形態に係る照明器具について説明する。
図１１に示すように、本発明の第４実施形態に係る照明器具７０は、トラックライト対応器具のスポットライトに適用した場合であり、レール７１に電気機器箱７２が移動自在に取り付けられており、電気機器箱７２にブラケット７３を介して器具本体７４が方向変更自在に取り付けられている。
【００３９】
（第５実施形態）
次に、本発明の第５実施形態に係る照明器具について説明する。
図１２に示すように、本発明の第５実施形態に係る照明器具８０は、トラックライト対応器具のスポットライトに適用した場合であり、レール８１にブラケット８２が移動自在に取り付けられており、ブラケット８２に電気機器箱８３が取り付けられている。そして、電気機器箱８３に器具本体８４が方向変更自在に取り付けられている。
【００４０】
なお、照明器具１０，照明器具５０，照明器具６０，照明器具７０，照明器具８０は、ダウンライトやスポットライトの他に、トラックライト対応器具としてのアクセントライトやビームライトや非常用ライト等に適用できる。
【００４１】
また、第１実施形態，第２実施形態，第３実施形態，第４実施形態，第５実施形態で使用したプリント配線基板，電気部品等は例示したものに限定するものではなく適宜変更が可能である。
【符号の説明】
【００４２】
１０，５０，６０，７０，８０  照明器具
１３，５１，６１，７２，８３  電気機器箱
１７，１９  開口部
１８  第１ケース
２０  第２ケース
２１  ケース体
２２  第１絶縁シート
２４  電気部品
２５，２６  開口部
２７  第２絶縁シート
２９，５２  誘導部
６２  突起（誘導部）
６３  孔
【図１】
0005464593.tif 000002
【図２】
0005464593.tif 000003
【図３】
0005464593.tif 000004
【図４】
0005464593.tif 000005
【図５】
0005464593.tif 000006
【図６】
0005464593.tif 000007
【図７】
0005464593.tif 000008
【図８】
0005464593.tif 000009
【図９】
0005464593.tif 000010
【図１０】
0005464593.tif 000011
【図１１】
0005464593.tif 000012
【図１２】
0005464593.tif 000013
【図１３】
0005464593.tif 000014